(57)【特許請求の範囲】
【請求項１】
略円板状の基部（１１、５１）と、基部（１１、５１）から突出し、雌スナップボタン（７０）の突起受入部（７５）に係合させる突起部（１２、５２）と、基部（１１、５１）の中央に設けられた取付用開口（１３、５３）と、前記基部（１１、５１）の取付用開口（１３、５３）の周囲において隆起する円筒状の隆起部（１４、５４）とを有する熱可塑性樹脂製の雄スナップボタン（１０、５０）を保持した、パンチ（３４、６４）を有する上金型（３０、６０）を降下させ、下金型（４０）に載置した、ポスト部（２２）を有するボタン取付部材（２０）を用いて前記雄スナップボタン（１０、５０）を生地（１）に取り付ける方法であって、
ボタン取付部材（２０）のポスト部（２２）を生地（１）に貫通させ次いで雄スナップボタン（１０、５０）の取付用開口（１３、５３）に通す工程と、
生地（１）及び取付用開口（１３、５３）を通った前記ポスト部（２２）を前記パンチ（３４、６４）により基部（１１、５１）上で加締めると同時に該加締められたポスト部（２２）と基部（１１、５１）との間で前記隆起部（１４、５４）を押し潰す工程にして、前記隆起部（１４、５４）は前記パンチ（３４、６４）と変形する前記ポスト部（２２）によって基部（１１、５１）上に押し潰される該工程とを含む雄スナップボタン取付方法。
【請求項２】
略円板状の基部（７１）と、基部（７１）から突出し、雄スナップボタン（１０、５０）の突起部（１２、５２）を受け入れる突起受入部（７５）を規定する周側部（７２）と、基部（７１）の中央に設けられた取付用開口（７３）と、前記基部（７１）の取付用開口（７３）の周囲において隆起する円筒状の隆起部（７４）とを有する熱可塑性樹脂製の雌スナップボタン（７０）を保持した、パンチ（８４）を有する上金型（８０）を降下させ、下金型（４０）に載置した、ポスト部（２２）を有するボタン取付部材（２０）を用いて前記雌スナップボタン（７０）を生地（１）に取り付ける方法であって、
ボタン取付部材（２０）のポスト部（２２）を生地（１）に貫通させ次いで雌スナップボタン（７０）の取付用開口（７３）に通す工程と、
生地（１）及び取付用開口（７３）を通った前記ポスト部（２２）を前記パンチ（８４）により基部（７１）上で加締めると同時に該加締められたポスト部（２２）と基部（７１）との間で前記隆起部（７４）を押し潰す工程にして、前記隆起部（７４）は前記パンチ（８４）と変形する前記ポスト部（２２）によって基部（７１）上に押し潰される該工程とを含む雌スナップボタン取付方法。
【発明の詳細な説明】
【技術分野】
【０００１】
本発明は、雄スナップボタン取付方法、雄スナップボタン及び雄スナップボタン構成体、並びに雌スナップボタン取付方法、雌スナップボタン及び雌スナップボタン構成体に関し、特に、生地を貫通したボタン取付部材のポスト部を上金型で加締めることにより生地に取り付ける雄スナップボタン及び雌スナップボタンの生地への取り付け方法と、そのような雄スナップボタン及び雌スナップボタンと、そのような雄スナップボタン及び雌スナップボタンとボタン取付部材との組合せから成る雄スナップボタン構成体及び雌スナップボタン構成体とに関する。
【背景技術】
【０００２】
スナップボタンを構成する一対の雄スナップボタン（雄スナップ）及び雌スナップボタン（雌スナップ）は、衣服や袋物等の合わせ目に広く使用されており、合わせ目をなす一方の生地に雄スナップが、他方の生地に雌スナップが取り付けられ、雄スナップの突起部を雌スナップの突起受入部に係合及び脱係合することにより、合わせ目が閉開される。雄スナップ及び雌スナップそれぞれの生地への取り付けは、一般に、ボタン取付部材のポスト部を生地に貫通させ、次いで雄スナップ又は雌スナップの基部の中央に設けられた取付用開口に通した後、上金型のパンチによりポスト部を雄スナップ又は雌スナップの基部上で加締めることによって行われる。【０００３】
しかしながら、上金型のパンチでボタン取付部材のポスト部を加締める際、雄スナップ又は雌スナップに大きい荷重がかかるため、雄スナップ及び雌スナップは、加締め時の大荷重に耐え得る強度で形成する必要があり、材料や寸法の選択範囲にある一定の制限があった。また、上金型には、余分な荷重を吸収するために円筒状の弾性部材が設けられており（例えば特開平１１−１８１２号公報参照）、その分、コストが嵩んだ。
【先行技術文献】
【特許文献】
【０００４】
【特許文献１】特開平１１−１８１２号公報
【発明の概要】
【発明が解決しようとする課題】
【０００５】
本発明は、上記のような問題点に着目してなされたものであり、その目的は、ボタン取付部材のポスト部の加締め時に荷重の一部を吸収することができ、これにより、雄スナップボタン又は雌スナップボタンの製品強度を下げたり、上金型の弾性部材を不要にすることができる雄スナップボタン取付方法、雄スナップボタン及び雄スナップボタン構成体、並びに雌スナップボタン取付方法、雌スナップボタン及び雌スナップボタン構成体を提供することにある。
【課題を解決するための手段】
【０００６】
上記課題を解決するため、本発明によれば、略円板状の基部と、基部から突出し、雌スナップボタンの突起受入部に係合させる突起部と、基部の中央に設けられた取付用開口と、前記基部の取付用開口の周囲において隆起する円筒状の隆起部とを有する雄スナップボタンを、ポスト部を有するボタン取付部材を用いて生地に取り付ける方法であって、ボタン取付部材のポスト部を生地に貫通させ次いで雄スナップボタンの取付用開口に通す工程と、生地及び取付用開口を通った前記ポスト部を基部上で加締めると同時に該加締められたポスト部と基部との間で前記隆起部を押し潰す工程とを含む雄スナップボタン取付方法が提供される。なお、生地には、織物、フェルト、不織布、皮、樹脂シート等が含まれる。
【０００７】
本発明では、雄スナップボタンの生地への取り付け時において、ボタン取付部材のポスト部を生地に貫通させ次いで雄スナップボタンの取付用開口に通した後、ポスト部を上金型によって加締めるが、この際、加締められて変形するポスト部が雄スナップボタンの隆起部を基部との間で押し潰すように変形させる。これにより、雄スナップボタンにかかる荷重の一部を隆起部の変形によって吸収することができる。【０００８】
別の本発明によれば、略円板状の基部と、基部から突出し、雌スナップボタンの突起受入部に係合させる突起部と、基部の中央に設けられた、ボタン取付部材のポスト部を通すための取付用開口とを有し、生地を貫通し次いで前記取付用開口を通った前記ポスト部を基部上で加締めることにより生地に取り付けられる雄スナップボタンであって、前記基部の取付用開口の周囲において隆起し、ポスト部の加締め時にポスト部と共に変形させる円筒状の隆起部を有する雄スナップボタンが提供される。かかる雄スナップボタンにおける隆起部は、生地への取り付け時に加締められて変形するポスト部によって基部との間で押し潰され、荷重の一部を吸収する。【０００９】
別の本発明によれば、雄スナップボタンと、雄スナップボタンを生地に取り付ける際に用いるボタン取付部材とから成る雄スナップボタン構成体であって、雄スナップボタンは、略円板状の基部と、基部から突出し、雌スナップボタンの突起受入部に係合させる突起部と、基部の中央に設けられた取付用開口と、前記基部の取付用開口の周囲において隆起する円筒状の隆起部とを有し、ボタン取付部材は、ベース部と、ベース部から突出するポスト部材にして、雄スナップボタンの生地への取り付け時に生地を貫通させ次いで取付用開口に通した後に基部上で加締められるポスト部とを有し、前記ポスト部が加締められた状態で前記隆起部は加締められたポスト部と基部との間で押し潰される雄スナップボタン構成体が提供される。かかる雄スナップボタン構成体において、生地への取り付け時にポスト部と基部との間で押し潰される隆起部が荷重の一部を吸収する。【００１０】
別の本発明によれば、略円板状の基部と、基部から突出し、雄スナップボタンの突起部を受け入れる突起受入部を規定する周側部と、基部の中央に設けられた取付用開口と、前記基部の取付用開口の周囲において隆起する円筒状の隆起部とを有する雌スナップボタンを、ポスト部を有するボタン取付部材を用いて生地に取り付ける方法であって、ボタン取付部材のポスト部を生地に貫通させ次いで雌スナップボタンの取付用開口に通す工程と、生地及び取付用開口を通った前記ポスト部を基部上で加締めると同時に該加締められたポスト部と基部との間で前記隆起部を押し潰す工程とを含む雌スナップボタン取付方法が提供される。【００１１】
本発明では、雌スナップボタンの生地への取り付け時において、ボタン取付部材のポスト部を生地に貫通させ次いで雌スナップボタンの取付用開口に通した後、ポスト部を上金型によって加締めるが、この際、加締められて変形するポスト部が雌スナップボタンの隆起部を基部との間で押し潰すよう変形させる。これにより、雌スナップボタンにかかる荷重の一部を隆起部の変形によって吸収することができる。【００１２】
別の本発明によれば、略円板状の基部と、基部から突出し、雄スナップボタンの突起部を受け入れる突起受入部を規定する周側部と、基部の中央に設けられた、ボタン取付部材のポスト部を通すための取付用開口とを有し、生地を貫通し次いで前記取付用開口を通った前記ポスト部を基部上で加締めることにより生地に取り付けられる雌スナップボタンであって、前記基部の取付用開口の周囲において隆起し、ポスト部の加締め時にポスト部と共に変形させる円筒状の隆起部を有する雌スナップボタンが提供される。かかる雌スナップボタンにおける隆起部は、生地への取り付け時に加締められて変形するポスト部によって基部との間で押し潰され、荷重の一部を吸収する。【００１３】
雌スナップボタンと、雌スナップボタンを生地に取り付ける際に用いるボタン取付部材とから成る雌スナップボタン構成体であって、雌スナップボタンは、略円板状の基部と、基部から突出し、雄スナップボタンの突起部を受け入れる突起受入部を規定する周側部と、基部の中央に設けられた取付用開口と、前記基部の取付用開口の周囲において隆起する円筒状の隆起部とを有し、ボタン取付部材は、ベース部と、ベース部から突出するポスト部材にして、雌スナップボタンの生地への取り付け時に生地を貫通させ次いで取付用開口に通した後に基部上で加締められるポスト部とを有し、前記ポスト部が加締められた状態で前記隆起部は加締められたポスト部と基部との間で押し潰される雌スナップボタン構成体が提供される。かかる雌スナップボタン構成体において、生地への取り付け時にポスト部と基部との間で押し潰される隆起部が荷重の一部を吸収する。【００１４】
雄スナップボタン、雌スナップボタン、及びボタン取付部材の材質としては、汎用プラスチック、エンジニアプラスチック等の熱可塑性樹脂等を好ましく挙げることができるが、これに限定されるものではなく、金属等であってもよい。
【発明の効果】
【００１５】
本発明では、雄スナップボタン又は雌スナップボタンの生地への取り付けにおいて、上金型でボタン取付部材のポスト部を加締める際、雄スナップボタン又は雌スナップボタンの隆起部をポスト部と共に変形させることにより、雄スナップボタン又は雌スナップボタンにかかる荷重の一部を隆起部の変形によって吸収することができ、そのため、雄スナップボタン又は雌スナップボタンの基部にかかる荷重が低減する。これにより、雄スナップボタン又は雌スナップボタンの製品強度を下げることが可能となり、雄スナップの材質や寸法の選択範囲が拡大する。また、雄スナップボタン又は雌スナップボタンにかかる余分な荷重を吸収するために上金型に設けられている弾性部材を不要とすることができる。
【図面の簡単な説明】
【００１６】
【図１】図１は、本発明の一実施形態に係る雄スナップボタンを一部破断して示す斜視図である。
【図２】図２は、図１の雄スナップボタンを生地に取り付ける際の、上金型、雄スナップボタン、生地、ボタン取付部材等の上下方向の配置状態を示す断面説明図である。
【図３】図３は、ボタン取付部材のポスト部が生地を貫通する直前の状態を示す取付工程断面説明図である。
【図４】図４は、ボタン取付部材のポスト部が生地を貫通した状態を示す取付工程断面説明図である。
【図５】図５は、上金型のパンチによる加締め工程の初期状態を示す取付工程断面説明図である。
【図６】図６は、加締め工程の中間状態を示す取付工程断面説明図である。
【図７】図７は、加締め工程の完了状態を示す取付工程断面説明図である。
【図８】図８は、雄スナップボタン及び上金型の変形例を示す、図４と同様の説明図である。
【図９】図９は、図８の雄スナップボタンの加締め工程の完了状態を示す図７と同様の説明図である。
【図１０】図１０は、本発明の一実施形態に係る雌スナップボタンを生地に取り付ける際の、上金型、雌スナップボタン、生地、ボタン取付部材等を示す図２と同様の説明図である。
【図１１】図１１は、図１０の雌スナップボタンの加締め工程の完了状態を示す図７と同様の説明図である。
【発明を実施するための形態】
【００１７】
以下、本発明の好適な実施形態について図面を参照しつつ説明する。図１は、本発明に係る雄スナップボタンの一実施形態である雄スナップボタン（以下、単に「雄スナップ」という）１０を一部破断して示す斜視図である。雄スナップ１０は、熱可塑性合成樹脂成形品であり、略円板状の基部１１と、基部１１から上方に基部１１と同心状に突出する円筒状の突起部１２とを備え、基部１１の半径方向外側部分は上方へと厚くなっている。雄スナップ１０は、周知のように、突起部１２を雌スナップ７０（図１０参照）の突起受入部７５に係合及び脱係合させることにより、雌スナップ７０と結合及び結合解除され、雌スナップ７０の突起受入部７５に対する離脱抵抗を高めるため、突起部１２の上端部に半径方向外側に拡張する拡張部１２’が設けられている。雄スナップ１０は更に、基部１１における突起部１２より半径方向内側の中央部に開けられた円形の取付用開口（以下、単に「開口」という）１３と、開口１３の周囲において基部１１から上方に隆起し、開口１３を規定する開口周側面１３’を上方に延長する円筒状の隆起部１４とを有する。本実施形態において、隆起部１４の基部１１の上面１１’からの高さは、突起部１２の高さよりも低く、突起部１２の約２／３程度に設定される。
【００１８】
図２は、雄スナップ１０を生地１に取り付ける際に使用するボタン取付部材２０、上金型３０及び下金型４０と、雄スナップ１０及び生地１の取り付け時における上下方向の配置状態を示す。なお、雄スナップ１０とボタン取付部材２０は本発明に係る雄スナップボタン構成体の一実施形態を成す。ボタン取付部材２０は、アセタール樹脂製であり、略円板状のベース部２１と、ベース部２１から上方にベース部２１と同心状に突出するポスト部２２とを備える。ポスト部２２は上方へと先細りし、尖った先端２３を有する。上金型３０は、図示しないスナップボタン取付用プレス機の昇降部に連結され、環状のパンチガイド３１と、パンチガイド３１の軸線に沿う中央孔３２を通って昇降される（図示される下方部分が）円柱状で鋼製のパンチ３４とを含む。パンチガイド３１の底部には、取り付け時に雄スナップ１０の突起部１２を受け入れて雄スナップ１０を保持するための、上方に凹となるスナップ保持部３３が設けられ、突起部１２は、その拡張部１２’が弾性的に若干縮径されてスナップ保持部３３と係合する。また、パンチ３４の底部には、水平で環状の底面３５と、底面３５の半径方向内側で上方に凹となる、ボタン取付部材２０のポスト部２２を加締めるための加締め凹部３６とが形成される。パンチ３４の底部の外径は、雄スナップ１０の隆起部１４の外径よりも大きく、加締め凹部３６の直径は、雄スナップ１０の隆起部１４の内径とほぼ同じである（図３参照）。下金型４０は、上面にボタン取付部材２０のベース部２１を合致的に受ける凹状のベース載置部４１を有する。ベース載置部４１にベース部２１が載置されたボタン取付部材２０は、ポスト部２２の軸線がパンチ３４の軸線と一致して上金型３０と同心となる。
【００１９】
次に、本発明に係る雄スナップボタン取付方法の一実施形態として、雄スナップ１０を生地１に取り付ける工程について説明する。図３は、パンチガイド３１のスナップ保持部３３に突起部１２が係合して雄スナップ１０を保持した上金型３０を、下金型４０のベース載置部４１に載置されたボタン取付部材２０に対し、雄スナップ１０とボタン取付部材２０間に生地１を挟んで降下させ、ボタン取付部材２０のポスト部２２が生地１を突き上げている状態を示す。この時点で、パンチ３４の底面３５は雄スナップ１０の隆起部１４の頂端に突き当たっている。この状態から上金型３０を更に降下させると、図４に示すように、ポスト部２２が生地１を貫通し、次いで雄スナップ１０の開口１３を通り、ポスト部２２の先端２３がパンチ３４の加締め凹部３６に入り込んで突き当たる。この時点ではまた、生地１が雄スナップ１０の基部１１とボタン取付部材２０のベース部２１との間で挟み付けられて圧縮される。この状態からパンチ３４を降下させることにより、加締め工程が次に述べるように行われる。
【００２０】
加締め工程の初期状態において、図５に示すように、パンチ３４の加締め凹部３６がポスト部２２を先端２３から潰し始めると共に、パンチ３４の底面３５が雄スナップ１０の隆起部１４をその上端側が半径方向外側に逸れるように変形させ始める。この状態からパンチ３４が更に降下すると、図６に示すように、ポスト部２２が潰れて加締め凹部３６を満たし、更に半径方向外側へと膨張し始める。このポスト部２２の半径方向外側への膨張は、パンチ３４の底面３５からの押圧と相俟って雄スナップ１０の隆起部１４を更に半径方向外側へと倒す。図７は、加締め工程が完了した状態を示す。この状態において、雄スナップ１０の隆起部１４は半径方向外側に倒されて基部１１の上面１１’上に押し潰される。この潰れた隆起部１４’上にポスト部２２の半径方向外側に膨張した部分２２’が重なるように加締め付けられる。
【００２１】
以上の加締め工程において、雄スナップ１０では、パンチ３４からの圧力の一部を隆起部１４を変形させて吸収することができるため、基部１１にかかる荷重を低減することができ、これにより、雄スナップ１０の製品強度を下げることが可能となるため、雄スナップ１０の材料や寸法の選択範囲が拡大する。また、基部１１にかかる荷重を軽減するために従来から上金型に設けられている円筒状の弾性部材（ばね）を不要とすることができる。
【００２２】
図８は雄スナップ及び上金型の変形例を示す。この雄スナップ５０は、隆起部５４の高さ以外は上述した雄スナップ１０と同じであり、また、上金型６０は、パンチ６４の底面６５が平坦で加締め凹部が無い点以外は上述した上金型３０と同じである。そのため、雄スナップ５０及び上金型６０以外の構成は、図２等と同じ参照番号を用いる。雄スナップ１０の隆起部５４の高さは突起部５２と同じである。生地１を貫通し次いで雄スナップ５０の開口５３を通ったボタン取付部材２０のポスト部２２は、上金型６０のパンチ６４の底面６５により図８の状態から図９に示すように軸方向に潰れかつ半径方向外側に膨張するように加締められる。この際、雄スナップ５０の隆起部５４は、パンチ６４と変形するポスト部２２によって基部５１上に押し潰される（変形後の隆起部を符号５４’で示す）。
【００２３】
図１０は、本発明に係る雌スナップボタンの一実施形態である雌スナップボタン（以下、単に「雌スナップ」という）７０を含む図２と同様の配置状態を示し、生地１、ボタン取付部材２０及び下金型４０は図２等と実質的に同じものであるため、同じ参照番号を付して説明を省略する。なお、雌スナップ７０とボタン取付部材２０は本発明に係る雌スナップボタン構成体の一実施形態を成す。雌スナップ７０は、略円板状の基部７１と、基部７１から上方に基部７１と同心状に突出し、雄スナップ１０、５０の突起部１２、５２を着脱可能に受け入れる突起受入部７５を規定する円筒状の周側部７２と、周側部７２の上端部から半径方向外側に延びるスカート状のフランジ部７６と、基部７１における周側部５２より半径方向内側の中央部に開けられた円形の開口７３と、開口７３の周囲において基部７１から上方に隆起する円筒状の隆起部７４とを有する。周側部７２の上端部には、雄スナップ１０、５０の突起部１２、５２との離脱抵抗を高めるため、半径方向内側に拡張する拡張部７２’が設けられる。隆起部７４の基部７１の上面からの高さは、周側部７２の高さの１／２よりも若干高く設定されるが、これに限らず、例えば周側部７２と同じ高さに設定することができる。
【００２４】
上金型８０は、環状のパンチガイド８１と、パンチガイド８１の軸線に沿う中央孔８２を通って昇降される（図示される下方部分が）円柱状のパンチ８４とを含む。パンチガイド８１の底部には、取り付け時に雌スナップ７０の突起受入部７５に入り込んで雌スナップ７０を保持するための、下方に突出する円筒状のスナップ保持部８３が設けられる。周側部７２は、その拡張部７２’が弾性的に若干拡径してスナップ保持部８３と係合する。また、パンチ８４の底部には、水平で環状の底面８５と、底面８５の半径方向内側で上方に凹となる、ボタン取付部材２０のポスト部２２を加締めるための加締め凹部８６とが形成される。パンチ８４の底部の外径は、雌スナップ７０の隆起部７４の外径よりも大きく、加締め凹部８６の直径は、雌スナップ７０の隆起部７４の内径とほぼ同じである。
【００２５】
本発明に係る雌スナップボタン取付方法の一実施形態としての、雌スナップ７０をボタン取付部材２０を用いて生地１に取り付け工程は、パンチガイド８１のスナップ保持部８３を突起受入部７５に係合させて雌スナップ７０を保持した上金型８０を降下させて、雄スナップ１０の取り付け工程と同様に行われる。すなわち、ボタン取付部材２０のポスト部２２が生地１を貫通し次いで雌スナップ７０の開口７３を通った後、パンチ８４を降下させて、雌スナップ７０の隆起部７４を変形させながらポスト部２２を図１１に示すように加締める。この場合も、隆起部７４は変形するポスト部２２と雌スナップ７０の基部７１との間で押し潰され（変形後の隆起部を符号７４’で示す）、パンチ８４からの圧力の一部を吸収することができ、基部７１にかかる荷重を低減することができる。
【符号の説明】
【００２６】
１０、５０  雄スナップボタン
１１、５１、７１  基部
１２、５２  突起部
１３、５３、７３  取付用開口
１４、５４、７４  隆起部
１４’、５４’、７４’  変形後の隆起部
２０  ボタン取付部材
２２  ポスト部
３０、６０、８０  上金型
３１、８１  パンチガイド
３４、６４、８４  パンチ
３６、８６  加締め凹部
４０  下金型
７０  雌スナップボタン
７２  周側部
７５  突起受入部
【図１】
0005579200.tif 000002
【図２】
0005579200.tif 000003
【図３】
0005579200.tif 000004
【図４】
0005579200.tif 000005
【図５】
0005579200.tif 000006
【図６】
0005579200.tif 000007
【図７】
0005579200.tif 000008
【図８】
0005579200.tif 000009
【図９】
0005579200.tif 000010
【図１０】
0005579200.tif 000011
【図１１】
0005579200.tif 000012